(57)【要約】【課題】本発明は、付着又は浮遊している花粉の破裂を抑制し、アレルゲン物質の放出を効果的に抑制できる花粉破裂抑制剤を提供することを課題とする。【解決手段】ホウ酸及び／又はその塩を含み、且つトリエタノールアミンを実質的に含まない花粉破裂抑制剤。【選択図】なし【特許請求の範囲】
【請求項１】
ホウ酸及び／又はその塩を含み、且つトリエタノールアミンを実質的に含まない、花粉破裂抑制剤。
【請求項２】
更に、下記(A)成分、(B)成分、(C)成分、(D)成分、及び(E)成分よりなる群から選択される少なくとも１種の成分を含有する、請求項１に記載の花粉破裂抑制剤。
(A)ポリオキシエチレンソルビタン脂肪酸エステル
(B)テルペノイド
(C)グリチルリチン酸及び／又はその塩
(D)クロルフェニラミン及び／又はその塩
(E)ε−アミノカプロン酸及び／又はその塩
【請求項３】
アルコール性水酸基を有する有機アミンを実質的に含まない、請求項１又は２に記載の花粉破裂抑制剤。
【請求項４】
繊維製品又は室内空間に適用される、請求項１〜３のいずれかに記載の花粉破裂抑制剤。
【請求項５】
液剤である、請求項１〜４のいずれかに記載の花粉破裂抑制剤。
【発明の詳細な説明】
【技術分野】
【０００１】
本発明は、繊維製品や室内空間等に適用され、花粉の破裂を抑制し、アレルゲン物質の放出を抑制する花粉破裂抑制剤に関する。
【背景技術】
【０００２】
花粉症は、花粉等の異物が原因となって、アレルギー反応を起こすことで発症する鼻炎の一種である。花粉症は、目のかゆみ、くしゃみ、鼻水、鼻づまりなどの不快な症状を長期間継続的に引き起こし、日常生活に支障をきたす。花粉症の罹患率は毎年増加傾向にあり、近年は社会的な問題になっている。
【０００３】
花粉症の発症機序については、これまでに精力的な研究により解明されている。具体的には、花粉症の発症機序は、以下の通りである。まず、スギ等の花粉が眼や鼻の粘膜に付着すると、花粉の外殻が破裂して、抗原タンパク質（アレルゲン物質）が放出し、粘膜内に侵入する。抗原タンパク質が粘膜内に入ると、特異的ＩｇＥ抗体が産生され、抗体が粘膜の肥満細胞上の受容体に結合することにより感作が生じる。この状態で、抗原タンパク質が再度曝露されると、抗体抗原反応により、肥満細胞からヒスタミン等の化学伝達物質が放出され、当該物質が受容体に結合することで、掻痒等のアレルギー症状が引き起こされる。
【０００４】
従来、花粉症の予防を講じる手法について種々報告されている。例えば、特許文献１には、アミノ酸金属塩を含有する花粉症予防用液剤が、花粉を破壊し無害化し得ることが報告されている。しかしながら、特許文献１の技術では、花粉を敢えて破壊することにより無害化することを意図しているが、花粉の破裂によって放出されるアレルゲン物質との接触を遮断できるものではなく、花粉症の予防効果も十分とは言えない。
【０００５】
一方、花粉症の予防には、花粉との接触を避けることが有効であるが、日常生活において花粉との接触を完全に避けることは困難である。そのため、仮に、花粉と接触しても、花粉の外殻の破裂を抑制できるように防備することが重要になる。
【先行技術文献】
【特許文献】
【０００６】
【特許文献１】特開２０１３−７５８７９号公報
【発明の概要】
【発明が解決しようとする課題】
【０００７】
本発明の目的は、付着又は浮遊している花粉の破裂を抑制し、アレルゲン物質の放出を効果的に抑制できる花粉破裂抑制剤を提供することである。
【課題を解決するための手段】
【０００８】
本発明者は、前記課題を解決するために鋭意研究を行ったところ、ホウ酸及び／又はその塩を含み、且つトリエタノールアミンを実質的に含まない組成物を、花粉に接触させると、花粉の破裂が極めて有効に抑制されることを見出した。更に、当該組成物に、ポリオキシエチレンソルビタン脂肪酸エステル、テルペノイド、グリチルリチン酸、クロルフェニラミン、ε−アミノカプロン酸、及びそれらの塩よりなる群から選択される少なくとも１種の成分を配合することによって、花粉の破裂をより一層有効に抑制できることを見出した。本発明は、これらの知見に基づいて更に検討を重ねることにより完成したものである。
【０００９】
即ち、本発明は、下記に掲げる態様の発明を提供する。
項１．  ホウ酸及び／又はその塩を含み、且つトリエタノールアミンを実質的に含まない、花粉破裂抑制剤。
項２．  更に、下記(A)成分、(B)成分、(C)成分、(D)成分、及び(E)成分よりなる群から選択される少なくとも１種の成分を含有する、項１に記載の花粉破裂抑制剤。
(A)ポリオキシエチレンソルビタン脂肪酸エステル
(B)テルペノイド
(C)グリチルリチン酸及び／又はその塩
(D)クロルフェニラミン及び／又はその塩
(E)ε−アミノカプロン酸及び／又はその塩
項３．  アルコール性水酸基を有する有機アミンを実質的に含まない、項１又は２に記載の花粉破裂抑制剤。
項４．  繊維製品又は室内空間に適用される、項１〜３のいずれかに記載の花粉破裂抑制剤。
項５．  液剤である、項１〜４のいずれかに記載の花粉破裂抑制剤。
【００１０】
本発明の花粉破裂抑制剤は、花粉の外殻が破裂するのを極めて有効に抑制することができる。そのため、花粉からアレルゲン物質が放出されるのを抑制することができ、ひいては花粉症の発症を抑制することができる。
【発明を実施するための形態】
【００１１】
本発明の花粉破裂抑制剤は、ホウ酸及び／又はその塩を含み、且つトリエタノールアミンを実質的に含まないことを特徴とする。以下、本発明の花粉破裂抑制剤成分について詳述する。
【００１２】
［ホウ酸及び／又はその塩］
本発明の花粉破裂抑制剤は、花粉破裂抑制作用を発揮させる有効成分として、ホウ酸及び／又はその塩を含有する。
【００１３】
本発明で使用されるホウ酸塩の種類については、特に制限されず、オルトホウ酸塩、二ホウ酸塩、メタホウ酸塩、四ホウ酸塩等のいずれであってもよい。また、ホウ酸塩を構成する塩基についても、特に制限されないが、例えば、ナトリウム、カリウム等のアルカリ金属塩が挙げられる。本発明で使用されるホウ酸の塩として、好ましくはホウ砂が挙げられる。
【００１４】
本発明の花粉破裂抑制剤において、ホウ酸、及びホウ酸の塩は、それぞれ１種単独で使用してもよいし、これらを組み合わせて使用してもよい。ホウ酸及びホウ酸の塩の中でも、花粉破裂抑制効果をより有効に奏させるという観点から、好ましくは、ホウ酸単独、又はホウ酸とホウ酸の組み合わせが挙げられる。
【００１５】
本発明の花粉破裂抑制剤におけるホウ酸及び／又はその塩の含有量については、特に制限されず、当該花粉破裂抑制剤の適用対象等に応じて適宜設定すればよいが、例えば、ホウ酸及び／又はその塩の総量で、０．０１〜１０重量％、好ましくは０．１〜５重量％、更に好ましくは１．２〜２重量％が挙げられる。
【００１６】
[トリエタノールアミン]
トリエタノールアミンには、花粉破裂抑制効果を妨げる作用がある。そのため、本発明の花粉破裂抑制剤では、トリエタノールアミンを実質的に含まない。
本発明の花粉破裂抑制剤において、「トリエタノールアミンを実質的に含まない」とは、トリエタノールアミンが、花粉破裂抑制効果を妨げる含有量以上で含まれていないことを指す。即ち、本発明の花粉破裂抑制剤には、花粉破裂抑制効果を妨げない範囲であることを限度として、トリエタノールアミンが含まれることが許容される。具体的には、本発明の花粉破裂抑制剤において許容されるトリエタノールアミンの含有量として、通常０．００１ｎｍｏｌ／ｇ以下、好ましくは０．０００５ｎｍｏｌ／ｇ以下、更に好ましくは０ｍｏｌ／ｇが挙げられる。
【００１７】
[アルコール性水酸基を有する有機アミン]
トリエタノールアミン以外のアルコール性水酸基を有する有機アミンについても、本発明の花粉破裂抑制剤による花粉破裂抑制効果を減弱させる可能性がある。そのため、本発明の花粉破裂抑制剤の好適な一態様として、アルコール性水酸基を有する有機アミンを実質的に含んでいないことが挙げられる。
【００１８】
アルコール性水酸基を有する有機アミンとしては、具体的には、トリエタノールアミン、モノエタノールアミン、ジエタノールアミン、Ｎ−メチルジエタノールアミン、Ｎ−エチルジエタノールアミン、トロメタモール、ジイソプロパノールアミン、トリイソプロパノールアミン、Ｎ−メチルグルカミン、メグルミン等が挙げられる。
【００１９】
ここで、「アルコール性水酸基を有する有機アミンを実質的に含んでいない」とは、当該有機アミンが、花粉破裂抑制効果を妨げる含有量以上で含まれていないことを指す。即ち、本発明の花粉破裂抑制剤には、花粉破裂抑制効果を妨げない範囲であることを限度として、アルコール性水酸基を有する有機アミンが含まれることが許容される。具体的には、本発明の花粉破裂抑制剤において許容されるアルコール性水酸基を有する有機アミンの含有量として、当該有機アミンの総量で、通常０．００１ｎｍｏｌ／ｇ以下、好ましくは０．０００５ｎｍｏｌ／ｇ以下、更に好ましくは０ｍｏｌ／ｇが挙げられる。
【００２０】
［花粉破裂抑制効果を増強させる成分］
本発明の花粉破裂抑制剤には、更に、ポリオキシエチレンソルビタン脂肪酸エステル（(A)成分と表記することもある）、テルペノイド（(B)成分と表記することもある）、グリチルリチン酸及び／又はその塩（(C)成分と表記することもある）、クロルフェニラミン及び／又はその塩（(D)成分と表記することもある）、並びにε−アミノカプロン酸及び／又はその塩（(E)成分と表記することもある）の内、少なくとも１種の成分を含んでいてもよい。
【００２１】
本発明の花粉破裂抑制剤において、(A)〜(E)成分の内、１種、２種以上、３種以上、４種以上、又は５種（即ち(A)〜(E)成分の全て）を含んでいてもよいが、花粉破裂抑制効果をより一層有効に向上させるという観点から、好ましくは(A)〜(E)成分の内の１種又は５種、更に好ましくは(A)〜(E)成分の全て（即ち５種）を含んでいることが望ましい。
【００２２】
以下、(A)〜(E)成分について具体的に説明する。
【００２３】
(A)成分：ポリオキシエチレンソルビタン脂肪酸エステル
ポリオキシエチレンソルビタン脂肪酸エステルは、ポリオキシエチレンソルビタンと脂肪酸のエステルであり、非イオン性界面活性剤として知られている化合物である。
【００２４】
本発明で使用されポリオキシエチレンソルビタン脂肪酸エステルにおいて、エチレノキサイドの付加モル数については、特に制限されないが、例えば、６〜１６０、好ましくは６〜６０、更に好ましくは６〜３０が挙げられる。
【００２５】
ポリオキシエチレンソルビタン脂肪酸エステルを構成する脂肪酸は、飽和脂肪酸又は不飽和脂肪酸のいずれであってよい。また、ポリオキシエチレンソルビタン脂肪酸エステルを構成する脂肪酸の炭素数については、特に制限されないが、例えば、８〜３０、好ましくは１０〜２２、更に好ましくは１２〜１８が挙げられる。ポリオキシエチレンソルビタン脂肪酸エステルを構成する脂肪酸として、具体的には、オレイン酸、ラウリン酸、ミリスチン酸、パルミチン酸、ステアリン酸等の単一脂肪酸；ヤシ油脂肪酸、牛脂脂肪酸等の動植物油由来の混合脂肪酸等が挙げられる。
【００２６】
本発明で使用されるポリオキシエチレンソルビタン脂肪酸エステルとして、具体的には、ＰＯＥ（２０）ソルビタンモノラウレート（ポリソルベート２０）、ＰＯＥ（２０）ソルビタンモノパルミテート（ポリソルベート４０）、ＰＯＥ（２０）ソルビタンモノステアレート（ポリソルベート６０）、ＰＯＥ（２０）ソルビタントリステアレート（ポリソルベート６５）、ＰＯＥ（２０）ソルビタンモノオレエート（ポリソルベート８０）等が挙げられる。これらのポリオキシエチレンソルビタン脂肪酸エステルは、１種単独で使用してもよく、また２種以上を組み合わせて使用してもよい。なお、前記ポリオキシエチレンソルビタン脂肪酸エステルの表記において、「ＰＯＥ」とはポリオキシエチレンを指し、ＰＯＥの後ろの括弧内の数値はエチレノキサイドの付加モル数を指す。
【００２７】
これらのポリオキシエチレンソルビタン脂肪酸エステルの中でも、花粉破裂抑制効果をより一層向上させるという観点から、好ましくはポリソルベート８０が挙げられる。
【００２８】
本発明の花粉破裂抑制剤に(A)成分を含有させる場合、その含有量については、特に制限されないが、例えば、(A)成分の総量で０．０００１〜３重量％、好ましくは０．０００１〜１重量％、更に好ましくは０．００１〜０．１重量％が挙げられる。
【００２９】
(B)成分：テルペノイド
テルペノイドとは、イソプレノイド又はテルペンとも称され、通常、イソプレン単位（炭素数５）が複数個結合した化合物である。テルペノイドは、含まれるイソプレン単位の数に応じて、モノテルペン（イソプレン単位が２個）、セスキテルペン（イソプレン単位が３個）、ジテルペン（イソプレン単位が４個）、トリテルペン（イソプレン単位が６個）等に分類される。本発明の花粉破裂抑制剤では、これらのいずれのテルペノイドを使用してもよい。
【００３０】
モノテルペンとしては、具体的には、メントール、チモール、ゲラニオール、リナロール、ボルネオール、シネオール、テルピネオール等のアルコール系モノテルペン；シトラール、シトロネラール、ペリルアルデヒド、サフラナール等のアルデヒド系モノテルペン；カンフル、メントン、カルボメントン、ヨノン等のケトン系モノテルペン等が挙げられる。また、セスキテルペンとしては、具体的には、カマズレン、サンタレン、パチュレン、セドロール、セドレノール、ファルネソール、オイゲノール、α−ビサボロール、β−カリオフィレンアルコール、スクラレオール、ゲラニルリナロール、イソフィトール、ネロリドール、グロブロール、グアイオール、α−サンタロール、カトロール、ファルネサール、ゲルマクロン、シペロン、ゼルンボン、ベチボン等が挙げられる。また、ジテルペンとしては、具体的には、レチナール等が挙げられる。これらのテルペノイドは、光学異性体が存在する場合には、ｄ体、ｌ体、ｄｌ体のいずれであってもよい。
【００３１】
これらのテルペノイドは、１種単独で使用してもよく、また２種以上を組み合わせて使用してもよい。
【００３２】
これらのテルペノイドの中でも、好ましくはモノテルペン、より好ましくはアルコール系モノテルペン、特に好ましくはメントール、ボルネオールが挙げられる。
【００３３】
また、これらのテルペノイドは、テルペノイドを含む精油の状態で使用してもよい。テルペンを含む精油は、公知のものから適宜選択して使用することができるが、例えば、メントールを含む精油としては、ハッカ油、ペパーミント油、スペアミント油等が挙げられる。
【００３４】
本発明の花粉破裂抑制剤に(B)成分を含有させる場合、その含有量については、特に制限されないが、例えば、(B)成分の総量で０．０００１〜１重量％、好ましくは０．０００１〜０．５重量％、更に好ましくは０．００１〜０．０５重量％が挙げられる。
【００３５】
(C)成分：グリチルリチン酸及び／又はその塩
グリチルリチン酸は、２０β−カルボキシ−１１−オキソ−３０−ノルオレアナ−１２−エン−３β−イル−２−Ｏ−β−Ｄ−グルコピラヌロノシル−α−Ｄ−グルコピラノシドウロン酸とも称される公知の化合物である。
【００３６】
グリチルリチン酸の塩としては、特に制限されないが、例えば、ナトリウム塩、カリウム塩等のアルカリ金属塩；カルシウム塩、マグネシウム塩等のアルカリ土類金属塩；アンモニウム塩；アルギニン、リジン、ヒスチジン、オルニチン等の塩基性アミノ酸塩；モノエタノールアミン塩、ジエタノールアミン塩等のアミン塩等が挙げられる。なかでも、好ましくはアルカリ金属塩が挙げられる。これらの塩は、１種単独で使用してもよく、また２種以上を組み合わせて使用してもよい。
【００３７】
また、グリチルリチン酸、及びグリチルリチン酸の塩は、それぞれ１種単独で使用してもよく、また、グリチルリチン酸とグリチルリチン酸の塩を組み合わせて使用してもよい。グリチルリチン酸及びその塩の中でも、好ましくはグリチルリチン酸の塩、更に好ましくはグリチルリチン酸のアルカリ金属塩、特に好ましくはグリチルリチン酸二カリウムが挙げられる。
【００３８】
本発明で使用されるグリチルリチン酸及び／又はその塩は、化学合成したものであってもよく、天然物由来の材料から抽出や精製等したものであってもよい。また、市販されているグリチルリチン酸又はその塩を用いてもよい。
【００３９】
グリチルリチン酸又はその塩を天然物由来の材料から抽出や精製等して製造する方法については、特に制限されず、例えば、天然物由来の材料から公知の方法で抽出、精製等する方法が挙げられる。グリチルリチン酸を抽出するための天然物由来の材料としては、例えば、甘草の根等が挙げられる。
【００４０】
本発明の花粉破裂抑制剤において(C)成分を使用する場合、その含有量については、特に制限されないが、例えば、(C)成分の総量で０．００１〜０．３重量％、好ましくは０．００１〜０．１重量％、更に好ましくは０．００５〜０．０５重量％が挙げられる。
【００４１】
(D)成分：クロルフェニラミン及び／又はその塩
クロルフェニラミンは、３−（４−クロロフェニル）−Ｎ，Ｎ−ジメチル−３−（２−ピリジニル）プロパン−１−アミンとも称される公知の化合物である。
【００４２】
クロルフェニラミンの塩としては、特に制限されないが、例えば、マレイン酸塩、塩酸塩、フマル酸塩等の有機酸塩；無機酸塩；金属塩等の各種の塩が挙げられる。これらの塩の中でも、好ましくは有機酸塩、更に好ましくはマレイン酸塩が挙げられる。これらのクロルフェニラミンの塩は、１種単独で使用してもよく、また２種以上を任意に組み合わせて使用してもよい。
【００４３】
また、クロルフェニラミン及びその塩は、水和物の形態であってもよく、更にｄ体、ｌ体、ｄｌ体のいずれであってもよい。
【００４４】
また、クロルフェニラミン、及びクロルフェニラミンの塩は、それぞれ１種単独で使用してもよく、またクロルフェニラミンとクロルフェニラミンの塩を組み合わせて使用してもよい。クロルフェニラミン及びその塩の中でも、好ましくはクロルフェニラミンの塩、更に好ましくはクロルフェニラミンの有機酸塩、特に好ましくはクロルフェニラミンマレイン酸塩が挙げられる。
【００４５】
本発明で使用されるクロルフェニラミン及び／又はその塩は、化学合成したものであってもよく、また天然物由来の材料から抽出や精製等したものであってもよい。また、試薬として市販されているクロルフェニラミン又はその塩を用いてもよい。
【００４６】
本発明の花粉破裂抑制剤において(D)成分を使用する場合、その含有量については、特に制限されないが、例えば、(D)成分の総量で０．０００１〜０．１重量％、好ましくは０．０００１〜０．０５重量％、より好ましくは０．０００３〜０．０３重量％が挙げられる。
【００４７】
(E)成分：ε−アミノカプロン酸及び／又はその塩
ε−アミノカプロン酸は、炭素数６の飽和脂肪酸の末端の水素原子がアミノ基と置換した公知の化合物である。
【００４８】
ε−アミノカプロン酸の塩としては、特に制限されないが、例えば、ナトリウム塩、カリウム塩等のアルカリ金属塩；カルシウム塩、マグネシウム塩等のアルカリ土類金属塩；塩酸塩、硫酸塩等の無機酸塩等が挙げられる。これらのε−アミノカプロン酸の塩は、１種単独で使用してもよく、また２種以上を組み合わせて使用してもよい。
【００４９】
また、ε−アミノカプロン酸、及びε−アミノカプロン酸の塩は、それぞれ１種単独で使用してもよく、ε−アミノカプロン酸とε−アミノカプロン酸の塩を組み合わせて使用してもよい。ε−アミノカプロン酸及びその塩の中でも、好ましくはε−アミノカプロン酸が挙げられる。
【００５０】
本発明で使用されるε−アミノカプロン酸及び／又はその塩は、化学合成したものであってもよく、また、試薬として市販されているものであってもよい。
【００５１】
本発明の花粉破裂抑制剤において(E)成分を使用する場合、その含有量については、特に制限されないが、例えば、(E)成分の総量で０．００１〜１重量％、好ましくは０．０１〜１重量％、より好ましくは０．０１〜０．５重量％が挙げられる。
【００５２】
［コンドロイチン硫酸及び／又はその塩］
本発明の花粉破裂抑制剤は、コンドロイチン硫酸及び／又はその塩（(F)成分と表記することもある）を含んでいてもよい。
【００５３】
コンドロイチン硫酸は、Ｎ−アセチル−Ｄ−ガラクトサミンとＤ−グルクロン酸の２糖を反復構造単位とする糖鎖に硫酸が結合した酸性ムコ多糖類として公知の化合物である。
【００５４】
コンドロイチン硫酸の塩については、特に制限されないが、例えば、ナトリウム塩、カリウム塩等のアルカリ金属塩；カルシウム塩、マグネシウム塩等のアルカリ土類金属塩；アンモニウム塩；アルギニン、リジン、ヒスチジン、オルニチン等の塩基性アミノ酸塩；モノエタノールアミン塩、ジエタノールアミン塩等のアミン塩等が挙げられる。これらの中でも、好ましくはアルカリ金属塩が挙げられる。これらの塩は、１種単独で使用してもよいし、２種以上を組み合わせて使用してもよい。
【００５５】
また、コンドロイチン硫酸、及びコンドロイチン硫酸の塩は、それぞれ１種単独で使用してもよく、またコンドロイチン硫酸とコンドロイチン硫酸の塩を組み合わせて使用してもよい。コンドロイチン硫酸及びその塩の中でも、好ましくはコンドロイチン硫酸の塩、更に好ましくはコンドロイチン硫酸のアルカリ金属塩、特に好ましくはコンドロイチン硫酸ナトリウムが挙げられる。
【００５６】
本発明で使用されるコンドロイチン硫酸及び／又はその塩は、化学合成したものであってもよく、また天然物由来の材料から抽出や精製等したものであってもよい。また、市販されているコンドロイチン硫酸及び／又はその塩を使用してもよい。
【００５７】
コンドロイチン硫酸及び／又はその塩を天然物由来の材料から抽出や精製等して製造する方法については、特に制限されないが、例えば、天然物由来の材料から公知の方法で抽出、精製等する方法が挙げられる。コンドロイチン硫酸を抽出するための天然物由来の材料としては、例えば、哺乳動物やサケ、エイ、サメ等の魚の軟骨等が挙げられる。これらの中でも、魚類の軟骨由来のものが好ましい。
【００５８】
本発明の花粉破裂抑制剤において(F)成分を使用する場合、その含有量としては、特に制限されないが、例えば、(F)成分の総量で０．００５〜５重量％、好ましくは０．００５〜３重量％、より好ましくは０．０１〜３重量％が挙げられる。
【００５９】
［キレート剤］
本発明の花粉破裂抑制剤は、更にキレート剤（(G)成分と表記することもある）を含んでもよい。
【００６０】
本発明で使用されるキレート剤の種類については、特に制限されないが、例えば、エチレンジアミン四酢酸（エデト酸）、ニトリロ三酢酸、ヒドロキシエチルイミノ二酢酸、ジヒドロキシエチルグリシン、ヒドロキシエチレンジアミン三酢酸、ジエチレントリアミン五酢酸、トリエチレンテトラミン六酢酸、酒石酸、メタ珪酸、クエン酸、オルト珪酸、グルクロン酸、及びこれらの塩が挙げられる。また、これらの化合物の塩としては、具体的には、ナトリウム塩、カリウム塩等のアルカリ金属塩；カルシウム塩、マグネシウム塩等のアルカリ土類金属塩等が挙げられる。
【００６１】
これらのキレート剤は、１種単独で使用してもよく、また２種以上を組み合わせて使用してもよい。
【００６２】
これらのキレート剤の中でも、好ましくはエデト酸及びその塩、より好ましくはエデト酸のアルカリ金属塩、更に好ましくはエデト酸ナトリウムが挙げられる。
【００６３】
本発明の花粉破裂抑制剤に(G)成分を含有させる場合、その含有量については、特に制限されないが、例えば、(G)成分の総量で０．０００１〜１重量％、好ましくは０．００１〜１重量％、より好ましくは０．００１〜０．３重量％が挙げられる。
【００６４】
［(A)成分以外の界面活性剤］
本発明の花粉破裂抑制剤は、必要に応じて、(A)成分以外の界面活性剤（(H)成分と表記することもある）が含まれていてもよい。
【００６５】
本発明で使用される界面活性剤（(A)成分以外）の種類については、特に制限されず、ノニオン性界面活性剤、アニオン性界面活性剤、カチオン性界面活性剤、両性界面活性剤のいずれを使用してもよいが、好ましくはノニオン性界面活性剤が挙げられる。
【００６６】
界面活性剤としては、具体的には、ＰＯＥ（１０〜５０モル）フィトステロールエーテル、ＰＯＥ（１０〜５０モル）ジヒドロコレステロールエーテル、ＰＯＥ（１０〜５０モル）２−オクチルドデシルエーテル、ＰＯＥ（１０〜５０モル）デシルテトラデシルエーテル、ＰＯＥ（１０〜５０モル）オレイルエーテル、ＰＯＥ（２〜５０モル）セチルエーテル、ＰＯＥ（５〜５０モル）ベヘニルエーテル、ＰＯＥ（５〜３０モル）ポリオキシプロピレン（５〜３０モル）２−デシルテトラデシルエーテル、ＰＯＥ（１０〜５０モル）ポリオキシプロピレン（２〜３０モル）セチルエーテル等のポリオキシエチレンアルキルエーテル、これらのリン酸・リン酸塩（ＰＯＥセチルエーテルリン酸ナトリウムなど）、ＰＯＥ（１０〜８０モル）グリセリルモノイソステアレート、ＰＯＥ（１０〜３０モル）グリセリルモノステアレート、ＰＯＥ（２０〜１００モル）・ポリオキシプロピレン変性シリコーン、ＰＯＥ・アルキル変性シリコーン、モノラウリン酸ポリエチレングリコール、モノパルミチン酸ポリエチレングリコール、モノステアリン酸ポリエチレングリコール、ジラウリン酸ポリエチレングリコール、ジパルミチン酸ポリエチレングリコール、ジステアリン酸ポリエチレングリコール、ジオレイン酸ポリエチレングリコール、ジリシノレイン酸ポリエチレングリコール、ポリオキシエチレン硬化ヒマシ油（５〜１００）、グリセリン脂肪酸エステル（モノステアリン酸グリセリン等）、水素添加大豆リン脂質、水素添加ラノリンアルコール、脂肪酸ポリグリセリル（ステアリン酸ポリグリセリル等）、アミノ酸と脂肪酸のアミド結合物（ステアロイルグルタミン酸ナトリウム等）が挙げられる。
【００６７】
これらの界面活性剤は、１種単独で使用してもよく、また２種以上を組み合わせて使用してもよい。これらの界面活性剤の中でも、好ましくはノニオン性界面活性剤が挙げられる。
【００６８】
本発明の花粉破裂抑制剤に(H)成分を含有させる場合、その含有量については、特に制限されないが、例えば、(H)成分の総量で０．０００１〜３重量％、好ましくは０．０００１〜１重量％、より好ましくは０．００１〜０．１重量％が挙げられる。
【００６９】
［アルカリ金属の塩化物］
本発明の花粉破裂抑制剤にアルカリ金属の塩化物が含まれている場合、花粉破裂抑制効果が減弱されることがある。そのため、本発明の花粉破裂抑制剤の好適な一態様として、アルカリ金属の塩化物を実質的に含んでいないことが挙げられる。
【００７０】
アルカリ金属塩としては、具体的には、塩化ナトリウム、塩化カリウム、塩化リチウム、塩化ルビジウム、塩化セシウム、塩化フランシウム等が挙げられる。
【００７１】
また、ここで、「アルカリ金属の塩化物を実質的に含んでいない」とは、アルカリ金属の塩化物が、花粉破裂抑制効果を減弱させる含有量以上で含まれていないことを指す。即ち、本発明の花粉破裂抑制剤には、花粉破裂抑制効果を減弱させない範囲であることを限度として、アルカリ金属の塩化物が含まれることが許容される。具体的には、本発明の花粉破裂抑制剤において許容されるアルカリ金属の塩化物の含有量として、アルカリ金属の塩化物の総量で、通常０．０１重量％以下、好ましくは０．００５重量％以下、更に好ましくは０．００１重量％以下、より好ましくは０．０００５重量％以下、特に好ましくは０．０００１重量％以下、最も好ましくは０重量％が挙げられる。
【００７２】
［他の成分］
本発明の花粉破裂抑制剤は、ホウ酸及び／又はその塩、並びに(A)〜(H)成分の他に、本発明の効果に影響を与えない範囲で、必要に応じて他の成分を含有していてもよい。他の成分としては、特に制限されず、本発明の花粉破裂抑制剤の剤型や製品形態に応じて適宜選択すればよいが、例えば、緩衝剤、増粘剤、安定化剤、防腐剤、抗菌剤、殺菌剤、酸化防止剤、充填剤、消臭剤、緩衝剤、紫外線吸収剤、香料、色素、酵素、塩類、糖類、糖アルコール、アミノ酸類等が挙げられる。これらの成分は、１種単独で使用してもよく、また２種以上を組み合わせて使用してもよい。
【００７３】
本発明の花粉破裂抑制剤は、前述する成分を溶解した状態で、花粉が浮遊又は付着している対象物に適用するために溶剤を含んでいてもよい。溶剤としては、配合成分を溶解できることを限度として特に制限されず、従来公知のものから適宜選択して用いることができるが、例えば、水；メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール等のアルコール類；エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等の多価アルコール類；エチレングリコールモノメチルエーテル、エチレングリコールモノエチルエーテル、エチレングリコールモノブチルエーテル、ジエチレングリコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテートトリエチレングリコールモノエチルエーテル、エチレングリコールモノフェニルエーテル等のグリコール誘導体；モルホリン、Ｎ−エチルモルホリン、エチレンジアミン、ジエチレントリアミン、トリエチレンテトラミン、ポリエチレンイミン、テトラメチルプロピレンジアミン等のアミン等が挙げられる。
【００７４】
これらの溶剤は、１種単独で使用してもよく、また２種以上を組み合わせて使用してもよい。
【００７５】
これらの溶剤の中でも、好ましくは水、及び水と有機溶剤の混合液、更に好ましくは水が挙げられる。
【００７６】
ｐＨ
本発明の花粉破裂抑制剤のｐＨとしては、花粉破裂抑制効果を奏し得る範囲であれば特に制限されないが、例えば、５．０〜９．０、好ましくは６．０〜８．０、更に好ましくは６．５〜７．５が挙げられる。花粉破裂抑制剤のｐＨの調整方法は、特に制限されず、公知のｐＨ調整剤を含むことにより調整することができる。
【００７７】
特に、前述する成分の内、(A)成分、(C)成分、及び(D)成分は、酸性を呈する特性があるので、本発明の花粉破裂抑制剤に、これらの成分の１種以上を含有させる場合には、ｐＨ調整剤（アルカリ）を使用してｐＨを前述する範囲に調整することが望ましい。また、ｐＨ調整剤（アルカリ）を使用してｐＨを前述する範囲に調整する場合には、ｐＨ調整剤（アルカリ）として、水酸化ナトリウム、水酸化カリウム等のアルカリ金属の水酸化物を使用することが好ましい。使用するｐＨ調整剤（アルカリ）の種類によっては、花粉破裂抑制効果を減弱させることがあるが、アルカリ金属の水酸化物を使用すると、花粉破裂抑制効果が減弱されるのを抑制することができる。また、花粉破裂抑制効果が減弱されるのをより一層有効に抑制するという観点から、ｐＨ調整剤（アルカリ）として、アルカリ金属の水酸化物を使用する場合には、ｐＨ調整剤（酸）として塩酸を併用しないことが好ましい。
【００７８】
製造方法
本発明の花粉破裂抑制剤は、ホウ酸及び／又はその塩、必要に応じて、(A)〜(H)成分及びその他の成分を、溶剤に添加し混合することによって調製できる。
【００７９】
形態
本発明の花粉破裂抑制剤の形態としては、特に制限されず、液剤、エアゾール剤、固形剤、ゲル剤等、公知の製品形態が挙げられる。また、製品形態に応じて、その製品形態に一般的に含有される成分を花粉破裂抑制剤に適宜含有させてもよい。なかでも、花粉破裂抑制剤の形態としては、取扱いが容易な点で、液剤が好ましい。
【００８０】
本発明の花粉破裂抑制剤は、例えば、本発明の花粉破裂抑制剤をエアゾール・ディスペンサー容器に収容してスプレー剤、空中散布剤等として使用することができる。また、例えば、本発明の花粉破裂抑制剤を繊維製品に塗布、含浸等することにより、花粉症予防用の繊維製品とすることができる。花粉症予防用の繊維製品の具体例としては、例えば、花粉が付着し得る、顔や体等の身体、窓、床、壁等を拭いたりするためのシート材等が挙げられる。また、本発明の花粉破裂抑制剤は、例えば、界面活性剤等の洗浄成分とともに用いることにより、対象物に付着した花粉の破裂を抑制しつつ対象物を洗浄し得る洗浄剤として使用することができる。
【００８１】
使用方法
本発明の花粉破裂抑制剤は、花粉の破裂抑制が求められる対象に適用される。対象としては、花粉が浮遊、もしくは浮遊するおそれのある空間、又は花粉が付着し得る、もしくは付着するおそれのある対象であれば、特に制限されないが、例えば、室内又は車内の空間；窓；網戸；壁；床；カーテン、絨毯、布団、衣類、マスク等の繊維製品；身体（粘膜、皮膚）；時計、ネックレス、ブレスレット、指輪等の装身具；家具；書籍等が挙げられる。
【００８２】
本発明の花粉破裂抑制剤の使用方法としては、特に制限されず、花粉破裂抑制剤の形態や適当対象の種類等に応じて適宜公知の方法を選択すればよい。例えば、本発明の花粉破裂抑制剤を適用対象に塗布したり、噴霧したり、適用対象を洗い流したりする方法等が挙げられる。
【００８３】
本発明の花粉破裂抑制剤の使用量としては、花粉破裂抑制効果が発揮される量であれば特に制限されず、対象に対して適量で適用すればよい。
【実施例】
【００８４】
次に、本発明を実施例により、更に詳細に説明するが、本発明は、これらの例によって何ら限定されるものではない。
【００８５】
試験例１
表１〜３に記載の組成となるように、各成分を秤量のうえ、精製水に溶解し、液剤を調製した。得られた花粉破裂抑制剤の花粉破裂率と、花粉の抗原タンパクの溶出量について、下記の方法で評価した。
【００８６】
（花粉破裂率）
花粉の濃度が１０ｍｇ／ｍｌとなるようにスギ花粉（和光純薬工業株式会社製）を前記で得られた液剤に混濁し、３７℃下でインキュベートした。５分後に混濁液１０μｌをスライドガラスに滴下してカバーガラスで被い、光学顕微鏡（倍率１００倍）の下、花粉を２００個カウントした。２００個の花粉のうち破裂している花粉数をカウントし、下記式により、花粉破裂率を算出した。
【００８７】
【数１】
2018102535.tif 000002
【００８８】
（抗原タンパクの放出量の定量）
実施例９及び１４の液剤については、以下の方法に従って、抗原タンパク（Ｃｒｙ ｊ １及びＣｒｙ ｊ ２）の放出量の定量を行った。スギ花粉（和光純薬工業株式会社製）を１０ｍｇ／ｍｌとなるように各液剤に混濁し、３７℃下でインキュベートした。５分後に、素早く氷水で冷やし、１１，０００ｇで３分間、４℃で遠心分離を行った。上清を採取し、再び遠心分離を行った。その後、上清（回収液）を採取し、ＥＬＩＳＡ  ｋｉｔ（株式会社 特殊免疫研究所製）を用いてサンドイッチ法にてＣｒｙ ｊ １を定量した。また、Ｃｒｙ ｊ ２については、スギ花粉（和光純薬工業株式会社製）を２００ｍｇ／ｍｌとなるように各液剤に混濁したこと以外は、Ｃｒｙ ｊ １の場合と同条件で定量を行った。
【００８９】
得られた結果を表１〜３に示す。この結果から、ホウ酸及び／又はホウ砂を含み、且つトリエタノールアミンを含まない液剤（実施例１〜１５）は、花粉破裂抑制作用を有することが確認された。また、ホウ酸及び／又はホウ砂を含み、且つトリエタノールアミンを含まない液剤において、ポリソルベート８０、テルペノイド（ｌ−メントール、ｄ−ボルネオール）、グリチルリチン酸二カリウム、クロルフェニラミンマレイン酸塩、及びε−アミノカプロン酸の内、いずれか１つを含む場合（実施例２〜６）には、花粉破裂抑制作用が更に高まることも明らかとなった。特に、ホウ酸及び／又はホウ砂を含み、トリエタノールアミンを含まない液剤において、ポリソルベート８０、テルペノイド（ｌ−メントール、ｄ−ボルネオール）、グリチルリチン酸二カリウム、クロルフェニラミンマレイン酸塩、及びε−アミノカプロン酸の全てを含み、且つｐＨ調整剤として塩酸を含まない場合（実施例１４及び１５）には、花粉破裂抑制作用が格段に向上することも、確認された。
【００９０】
一方、ホウ酸及び／又はホウ砂を含んでいても、トリエタノールアミンを含む液剤（比較例１及び２）では、十分な花粉破裂抑制作用を発揮できていなかった。
【００９１】
【表１】
2018102535.tif 000003
【００９２】
【表２】
2018102535.tif 000004
【００９３】
【表３】
2018102535.tif 000005